(57)【要約】【課題】本発明は、製品テストの信頼性向上とテストケーブルの紛失防止とを同時に実現でき、利便性を著しく向上できるテスト装置を提供することを目的とするものである。【解決手段】本発明によるテスト装置は、装置本体１０に設けられた本体側コネクタ部１０ａが装置本体１０内の自己診断部１２に接続され、本体側コネクタ部１０ａにケーブル側コネクタ部２０ａが接続された場合に、製品テスト部１１及び前記テストケーブル２０が正常か否かを自己診断部１２が診断する構成である。【選択図】図１
2010169623.tif 000002
【特許請求の範囲】
【請求項１】
装置本体（１０）の内部に格納された製品テスト部（１１）に製品（３０）を接続して前記製品（３０）が正常か否かを診断するためのテスト装置であって、
前記装置本体（１０）に一体に設けられ、前記装置本体（１０）の内部で前記製品テスト部（１１）に接続されたテストケーブル（２０）と、
前記装置本体（１０）の外部に位置する前記テストケーブル（２０）の端部に設けられたケーブル側コネクタ部（２０ａ）と、
前記装置本体（１０）に設けられた本体側コネクタ部（１０ａ）と、
前記装置本体（１０）の内部に格納されるとともに前記本体側コネクタ部（１０ａ）に接続された自己診断部（１２）と
を備え、
前記自己診断部（１２）は、前記本体側コネクタ部（１０ａ）に前記ケーブル側コネクタ部（２０ａ）が接続されている場合に、前記製品テスト部（１１）及び前記テストケーブル（２０）が正常か否かを診断することを特徴とするテスト装置。
【請求項２】
前記装置本体（１０）の内部にはケーブル収納スペース（４０）が設けられており、前記本体側コネクタ部（１０ａ）に前記ケーブル側コネクタ部（２０ａ）が接続された際に、前記テストケーブル（２０）が前記ケーブル収納スペース（４０）の内部に収納されることを特徴とするとする請求項１記載のテスト装置。
【請求項３】
前記ケーブル収納スペース（４０）の内部には、前記テストケーブル（２０）を巻き取るためのリール（５０）が設けられていることを特徴とする請求項２記載のテスト装置。
【発明の詳細な説明】
【技術分野】
【０００１】
本発明は、製品３０が正常か否かを診断するためのテスト装置に関し、特に、装置本体に一体に設けられたテストケーブルのケーブル側コネクタ部が本体側コネクタ部に接続された際に、製品テスト部及びテストケーブルが正常か否かを自己診断部が診断するようにすることで、製品テストの信頼性向上とテストケーブルの紛失防止とを同時に実現でき、利便性を著しく向上できるようにするための新規な改良に関するものである。
【背景技術】
【０００２】
社内技術で特に特許出願を行っていないため文献名は挙げていないが、従来用いられていたこの種のテスト装置は以下のように構成されている。
図３は、従来のテスト装置を示すブロック図である。図において、装置本体１０の内部には、製品テスト部１１が格納されており、この製品テスト部１１には、装置本体１０に設けられた本体側コネクタ部１０ａが接続されている。本体側コネクタ部１０ａには、装置本体１０に対して別体に設けられたテストケーブル２０の一端が接続され、テストケーブル２０の他端は、機能又は動作のテストが必要とされる製品３０（供試品）が接続される。すなわち、製品３０は、テストケーブル２０を介して製品テスト部１１に接続され、製品テスト部１１は、接続された製品３０が正常か否かを診断する。
【発明の概要】
【発明が解決しようとする課題】
【０００３】
上記のような従来のテスト装置には、主に以下の２つの問題点がある。
すなわち、装置本体１０に製品テスト部１１のみが設けられる構成であるので、テストケーブル２０及び製品テスト部１１の異常を検出できず、これらテストケーブル２０及び製品テスト部１１に異常がある場合でも製品３０に異常があると診断される可能性がある。つまり、製品３０が異常であると診断された場合でも、製品３０の異常だけでなく、テストケーブル２０及び製品テスト部１１の異常まで疑う必要があり、製品テストの信頼性が低くなっている。このため、異常箇所の切り分けが煩雑になり、テストに要する時間が長くなる。
また、テストケーブル２０が装置本体１０に対して別体に設けられているので、テストケーブル２０と装置本体１０とを個々に収納してしまい、テストケーブル２０を紛失してしまう場合がある。
【０００４】
本発明は、上記のような課題を解決するためになされたものであり、その目的は、製品テストの信頼性向上とテストケーブルの紛失防止とを同時に実現でき、利便性を著しく向上できるテスト装置を提供することである。
【課題を解決するための手段】
【０００５】
本発明に係るテスト装置は、装置本体の内部に格納された製品テスト部に製品を接続して前記製品が正常か否かを診断するためのテスト装置であって、前記装置本体に一体に設けられ、前記装置本体の内部で前記製品テスト部に接続されたテストケーブルと、前記装置本体の外部に位置する前記テストケーブルの端部に設けられたケーブル側コネクタ部と、前記装置本体に設けられた本体側コネクタ部と、前記装置本体の内部に格納されるとともに前記本体側コネクタ部に接続された自己診断部とを備え、前記自己診断部は、前記本体側コネクタ部に前記ケーブル側コネクタ部が接続されている場合に、前記製品テスト部及び前記テストケーブルが正常か否かを診断する。
また、前記装置本体の内部にはケーブル収納スペースが設けられており、前記本体側コネクタ部に前記ケーブル側コネクタ部が接続された際に、前記テストケーブルが前記ケーブル収納スペースの内部に収納される。
また、前記ケーブル収納スペースの内部には、前記テストケーブルを巻き取るためのリールが設けられている。
【発明の効果】
【０００６】
本発明のテスト装置によれば、装置本体に一体に設けられたテストケーブルのケーブル側コネクタ部が本体側コネクタ部に接続された際に、製品テスト部及びテストケーブルが正常か否かを自己診断部が診断するので、装置本体を収納する際にケーブル側コネクタ部を本体側コネクタ部に接続することで製品テスト部及びテストケーブルの診断を実施できるとともに、装置本体とテストケーブルとを一体に収納できる。これにより、製品テストの信頼性向上とテストケーブルの紛失防止とを同時に実現でき、利便性を著しく向上できる。
また、本体側コネクタ部にケーブル側コネクタ部が接続された際に、テストケーブルがケーブル収納スペースの内部に収納されるので、装置本体の外部に露出されるテストケーブルを少なくでき、収納時及び設置時の取り扱いを容易にすることができる。
また、ケーブル収納スペース内には、テストケーブルを巻き取るためのリールが設けられているので、テストケーブルの収納及び取出しを容易にでき、テスト装置全体の収納作業及び設置作業に要する時間を短縮できる。
【図面の簡単な説明】
【０００７】
【図１】本発明の実施の形態１によるテスト装置を示すブロック図である。
【図２】本発明の実施の形態２によるテスト装置を示すブロック図である。
【図３】従来のテスト装置を示すブロック図である。
【発明を実施するための形態】
【０００８】
以下、本発明を実施するための最良の形態について、図面を参照して説明する。
実施の形態１．
図１は、本発明の実施の形態１によるテスト装置を示すブロック図である。なお、従来のテスト装置と同一又は同等部分については同一の符号を用いて説明する。図において、装置本体１０の内部には、製品テスト部１１と自己診断部１２（ＢＩＴ回路）とが格納されている。製品テスト部１１には一対のテストケーブル２０が接続されている。すなわち、テストケーブル２０は、装置本体１０の内部で製品テスト部１１に直接接続されており、装置本体１０に一体に設けられている。前記装置本体１０の外部に位置する前記テストケーブル２０の端部は、自由端とされており、この他端には、ケーブル側コネクタ部２０ａが設けられている。ケーブル側コネクタ部２０ａは、機能又は動作のテストが必要とされる製品３０（供試品）に接続される。すなわち、製品３０は、テストケーブル２０を介して製品テスト部１１に接続され、製品テスト部１１は、接続された製品３０が正常か否かを診断する。
【０００９】
自己診断部１２には、装置本体１０に設けられた本体側コネクタ部１０ａが接続されている。製品３０のテストが終了し、テスト装置全体を片付ける場合、図１において点線で示すように、ケーブル側コネクタ部２０ａが本体側コネクタ部１０ａに接続される。これにより、ケーブル側コネクタ部２０ａの両端を装置本体１０に対して固定でき、テストケーブル２０と装置本体１０とを確実に一体に収納でき、テストケーブル２０の紛失を防止できる。また、片付けていたテスト装置を改めて設置する際にも、テストケーブル２０を装置本体１０に接続する手間を省くことができ、設置時間を短縮できる。
【００１０】
自己診断部１２は、本体側コネクタ部１０ａにケーブル側コネクタ部２０ａが接続されている場合に、製品テスト部１１及びテストケーブル２０が正常か否かを診断する。具体的には、自己診断部１２は、テストされる際に製品３０が出力する信号と同等の擬似信号を製品テスト部１１に入力し、擬似信号から期待される診断結果と製品テスト部１１が実際に診断した結果との比較から、製品テスト部１１及びテストケーブル２０が正常か否かを診断する。これにより、製品テスト部１１及びテストケーブル２０の異常をより確実に検出することができ、製品テストの信頼性を向上できる。なお、自己診断部１２による診断は、片付けられていたテスト装置全体が設置されるタイミング、及びテスト装置全体が片付けられるタイミングのどちらのタイミングでも実施可能である。
【００１１】
このようなテスト装置では、装置本体１０に一体に設けられたテストケーブル２０のケーブル側コネクタ部２０ａが本体側コネクタ部１０ａに接続された際に、製品テスト部１１及びテストケーブル２０が正常か否かを自己診断部１２が診断するので、装置本体１０を収納する際にケーブル側コネクタ部２０ａを本体側コネクタ部１０ａに接続することで製品テスト部１１及びテストケーブル２０の診断を実施できるとともに、装置本体１０とテストケーブル２０とを一体に収納できる。これにより、製品テストの信頼性向上とテストケーブル２０の紛失防止とを同時に実現でき、利便性を著しく向上できる。
【００１２】
実施の形態２．
図２は、本発明の実施の形態２によるテスト装置を示すブロック図である。図に示すように、装置本体１０の内部にはケーブル収納スペース４０が設けられており、ケーブル収納スペース４０の内部には、前記テストケーブル２０を巻き取るためのリール５０が設けられている。すなわち、この実施の形態２の構成では、本体側コネクタ部１０ａにケーブル側コネクタ部２０ａが接続された際に、リール５０にテストケーブル２０が巻き取られることで、テストケーブル２０がケーブル収納スペース４０の内部に収納される。
【００１３】
このようなテスト装置では、本体側コネクタ部１０ａにケーブル側コネクタ部２０ａが接続された際に、テストケーブル２０がケーブル収納スペース４０の内部に収納されるので、装置本体１０の外部に露出されるテストケーブル２０を少なくでき、収納時及び設置時の取り扱いを容易にすることができる。
【００１４】
また、テストケーブル２０を巻き取るためのリール５０がケーブル収納スペース４０の内部に設けられているので、テストケーブル２０の収納及び取出しを容易にでき、テスト装置全体の収納作業及び設置作業に要する時間を短縮できる。
【符号の説明】
【００１５】
１０            装置本体
１０ａ  本体側コネクタ部
１１  製品テスト部
１２  自己診断部
２０  テストケーブル
２０ａ  ケーブル側コネクタ部
３０  製品
４０  ケーブル収納スペース
５０  リール
【図１】
2010169623.tif 000003
【図２】
2010169623.tif 000004
【図３】
2010169623.tif 000005